(57)【要約】【課題】着信側携帯電話機がどんな端末であっても、発信側携帯電話機が送信するデータを表示することができる携帯通信システムを提供する。【解決手段】発信側携帯電話機１００は、発呼動作と同時にアドレス１０５を呼情報内に付加した発信も行う。着信側携帯電話機１０１のＣＰＵ１１２は、着呼時に呼情報内にアドレスが含まれているか判別し、含まれている場合、アドレス１０５を基にサーバ１０２へのアクセスを行う。そしてサーバ１０２のＣＰＵ１０９とＣＰＵ１１２は、端末能力情報を交換する。次にＣＰＵ１０９は、アドレス１０５を付加した発信者情報Ａをデータベース１０３から抽出する。データ変換部１０４は、端末能力情報１０６に合わせたフォーマットへ発信者情報Ａをデータ変換する。そしてＣＰＵ１０９は着信側携帯電話機１０１に送信する。【選択図】      図１
2004297122.tif 000002
【特許請求の範囲】
【請求項１】
複数の携帯通信端末と、前記複数の携帯通信端末とインターネットで接続されているサーバとから構成される携帯通信システムにおいて、
前記サーバが、前記複数の携帯通信端末の識別情報をデータベースに記憶する第１の過程と、
前記複数の携帯通信端末が、自端末の識別情報が記憶された前記データベースのアドレスを内部の記憶部に登録する第２の過程と、
第１の携帯通信端末が前記記憶部内のアドレスを付加して通話発信する第３の過程と、
前記第１の携帯通信端末からの発信を受信した第２の携帯通信端末が、前記第１の携帯通信端末から発信されたアドレスを検出する第４の過程と、
前記第２の携帯通信端末が、前記検出したアドレスに基づいて前記サーバへ識別情報を要求する第５の過程と、
該要求を受けた前記サーバが、前記第２の携帯通信端末から受けたアドレスに基づいて、前記データベースから識別情報を読み出し、前記第２の携帯通信端末へ送信する第６の過程と、
前記第２の携帯通信端末が、前記サーバから取得した前記識別情報を前記携帯通信端末に表示する第７の過程と
を有する携帯通信方法。
【請求項２】
複数の携帯通信端末と、前記複数の携帯通信端末とインターネットで接続されているサーバとから構成される携帯通信システムにおいて、
前記サーバは、
前記複数の携帯通信端末の識別情報が記憶されたデータベースと、
前記携帯通信端末からのアドレス情報を含む要求を受け、前記データベース内の識別情報を該アドレス情報に基づいて読み出し、前記携帯通信端末へ送信する送信手段とを有し、
前記携帯通信端末は、
内部の記憶部に登録されたアドレス情報を付加して通話発信する発信手段と、
他の携帯通信端末から発信されたアドレス情報を検出する検出手段と、
前記検出手段により検出したアドレス情報を付加して前記サーバへ識別情報を要求する要求手段と、
前記要求手段の要求に応答して前記サーバから受信した前記識別情報を取得し表示する制御手段と
を有することを特徴とする携帯通信システム。
【請求項３】
前記サーバのデータベースは、前記携帯通信端末の端末能力情報をさらに有し、
前記サーバは、前記端末能力情報に基づいて、前記識別情報をデータ変換する変換手段をさらに有する
ことを特徴とする請求項２記載の携帯通信システム。
【請求項４】
複数の携帯通信端末と、前記複数の携帯通信端末とインターネットで接続されているサーバとから構成される携帯通信システムに用いられる携帯通信端末において、
自端末の識別情報が記憶された前記サーバのデータベースのアドレスを記憶する記憶部と、
前記記憶部内のアドレスを付加して通話発信する発信手段と、
他の携帯通信端末から発信されたアドレスを検出する検出手段と、
前記検出手段により検出したアドレスを付加して前記サーバへ識別情報を要求する要求手段と、
前記要求手段の要求に応答して前記サーバから受信した前記識別情報を取得し表示する制御手段と
を有する携帯通信端末。
【発明の詳細な説明】
【０００１】
【発明の属する技術分野】
本発明は、音声通信とパケット通信が同時に行える携帯通信端末を用いて、発信側携帯通信端末の識別情報を着信側携帯通信端末に表示する携帯通信システムに関する。
【０００２】
【従来の技術】
従来の携帯電話機の着信通知方式は、あらかじめ電話番号と名前とを対応して記憶しておく電話帳機能を使用して、着信時に受信した電話番号と対応する名前を表示したり、スピーカーにより報知したり、発信側の携帯電話機が送出する発番号情報を表示して発信者の通知を行っていた。
また、発信側端末が固有メッセージを送出するものもあり、着信側端末の電話帳に発番号情報などが存在しない着信でも、着信側の携帯電話機が固有メッセージを受信することで、発信者の特定を行っていた。
従来の技術では、ＩＳＤＮのサブアドレス機能を用い、ターミナルアダプタが発信者を識別することで、同一の電話回線を複数人が利用しても発信者を個々に特定することができるものもある。
また、着信側の記憶手段に発信者の電話番号やそれに付随する情報を記憶していなくとも、発信者が電話番号やそれに付随する情報を含む信号を送信し、着信側に表示する電話システムもある（例えば、特許文献１参照）。
また、電話帳登録されていない相手からの着信に対して、所定桁数の電話番号から発信者の地域を認識して発信者を特定することができるものもある。
【０００３】
【特許文献１】
特開２０００−１９６７３２号公報
【０００４】
【発明が解決しようとする課題】
従来の携帯電話機及び携帯通信システムでは、電話番号から発信者を検索するために、ひとつの発信側携帯電話機を複数のユーザが使用しても着信側の携帯電話機に表示される発信者名称は同一であるという欠点があった。
また、従来の携帯電話機の他の問題として、発信側携帯電話機が固有メッセージを送出する場合、発信者情報として文字列のようなテキストデータだけではなく画像情報などを送出しようとすると、データ量が飛躍的に増大するが、着信側携帯電話機が画像データを受信する際に、対応する画像コーディックを持っていない場合には、発信側携帯電話機が多くのデータを送出しても着信側携帯電話機では表示されないという欠点があった。
本発明はこのような点を鑑みてなされたもので、ひとつの発信側携帯電話機を複数のユーザが使用しても、着信側携帯電話機が発信者を識別することができる携帯通信システムを提供することを目的としている。
また、本発明の他の目的は、着信側携帯電話機がどんな端末であっても、発信側携帯電話機が送信するデータを表示することができる携帯通信システムを提供することにある。
【０００５】
【課題を解決するための手段】
上記した目的を達成するために、請求項１記載の携帯通信方法は、複数の携帯通信端末と、前記複数の携帯通信端末とインターネットで接続されているサーバとから構成される携帯通信システムにおいて、前記サーバが、前記複数の携帯通信端末の識別情報をデータベースに記憶する第１の過程と、前記複数の携帯通信端末が、自端末の識別情報が記憶された前記データベースのアドレスを内部の記憶部に登録する第２の過程と、第１の携帯通信端末が前記記憶部内のアドレスを付加して通話発信する第３の過程と、前記第１の携帯通信端末からの発信を受信した第２の携帯通信端末が、前記第１の携帯通信端末から発信されたアドレスを検出する第４の過程と、前記第２の携帯通信端末が、前記検出したアドレスに基づいて前記サーバへ識別情報を要求する第５の過程と、該要求を受けた前記サーバが、前記第２の携帯通信端末から受けたアドレスに基づいて、前記データベースから識別情報を読み出し、前記第２の携帯通信端末へ送信する第６の過程と、前記第２の携帯通信端末が、前記サーバから取得した前記識別情報を前記携帯通信端末に表示する第７の過程とを有する。
【０００６】
請求項２記載の携帯通信システムは、複数の携帯通信端末と、前記複数の携帯通信端末とインターネットで接続されているサーバとから構成される携帯通信システムにおいて、前記サーバは、前記複数の携帯通信端末の識別情報が記憶されたデータベースと、前記携帯通信端末からのアドレス情報を含む要求を受け、前記データベース内の識別情報を該アドレス情報に基づいて読み出し、前記携帯通信端末へ送信する送信手段とを有し、前記携帯通信端末は、内部の記憶部に登録されたアドレス情報を付加して通話発信する発信手段と、他の携帯通信端末から発信されたアドレス情報を検出する検出手段と、前記検出手段により検出したアドレス情報を付加して前記サーバへ識別情報を要求する要求手段と、前記要求手段の要求に応答して前記サーバから受信した前記識別情報を取得し表示する制御手段とを有することを特徴とする。
【０００７】
請求項３記載の発明は、請求項２記載の携帯通信システムにおいて、前記サーバのデータベースは、前記携帯通信端末の端末能力情報をさらに有し、前記サーバは、前記端末能力情報に基づいて、前記識別情報をデータ変換する変換手段をさらに有することを特徴とする。
【０００８】
請求項４記載の携帯通信端末は、複数の携帯通信端末と、前記複数の携帯通信端末とインターネットで接続されているサーバとから構成される携帯通信システムに用いられる携帯通信端末において、自端末の識別情報が記憶された前記サーバのデータベースのアドレスを記憶する記憶部と、前記記憶部内のアドレスを付加して通話発信する発信手段と、他の携帯通信端末から発信されたアドレスを検出する検出手段と、前記検出手段により検出したアドレスを付加して前記サーバへ識別情報を要求する要求手段と、前記要求手段の要求に応答して前記サーバから受信した前記識別情報を取得し表示する制御手段とを有する。
【０００９】
【発明の実施の形態】
以下、図面を参照して本発明の実施の形態を説明する。
図１は、本発明の一実施形態に係る携帯通信システムの概略構成を示すブロック図である。１００は発信側携帯電話機（携帯通信端末）であり、固有のアドレス１０５を呼情報内に付加して発信する機能（発信手段）を有する。また、ここでの呼情報は、発番号情報を使用しても良いし、ＰＨＳなどでの発又は着サブアドレスを使用してもよい。
サーバ１０２は、インターネット網Ｎから無線回線網Ｎ’を経由して無線基地局２００に接続され、無線基地局２００から発信側携帯電話機１００または着信側携帯電話機１０１へと無線通信を行う。サーバ１０２は、サーバ１０２全体の制御を行うＣＰＵ１０９（送信手段）と、ユーザ名や電話番号、画像情報などを含む発信者情報（識別情報）を格納しているデータベース１０３と、発信者情報をデータ変換するデータ変換部１０４とを有する。
アドレス１０５は、データベース１０３内の発信者情報の格納先をＵＲＬ表示で示す。
着信側携帯電話機１０１（携帯通信端末）は、ＲＦ処理部１１０、音声送受信部１１１、着信側携帯電話機１０１全体の制御を行うＣＰＵ１１２（検出手段、取得手段、制御手段）、音声入力部１１３、音声再生部１１４、表示部１１５、操作部１１６、記憶部１１７、パケット送受信部１１８を有する。
記憶部１１７は、端末能力情報１０６を格納している。ここで、端末能力情報１０６は、着信側携帯電話機１０１の処理能力を示す画面サイズ、文字コード、言語（日本語、英語、韓国語など）、対応する画像フォーマット、画像サイズなどである。
【００１０】
次に、上記構成の携帯通信システムの動作について説明する。まず、サーバ１０２のデータベース１０３に、発信側携帯電話機１００の発信者情報を新規登録する場合について、図２を参照して説明する。ユーザは発信側携帯電話機１００を操作してインターネットブラウザを起動し（ステップＳ３００）、登録用のホームページにインターネットアクセスを行う（ステップＳ３０２）。サーバ１０２内のＣＰＵ１０９は、ステップＳ３０２でのアクセスを受けて登録用のプログラムを起動し（ステップＳ３０４）、新規登録フォームを発信側携帯電話機１００に送信する（ステップＳ３０６）。発信側携帯電話機１００が新規登録フォームを受信し表示部に表示すると、ユーザは、この新規登録フォームにユーザの氏名や電話番号、添付画像のフォーム内容を入力し（ステップＳ３０８）、操作部の送信キーを押下して（ステップＳ３１０）、サーバ１０２に送信する（ステップＳ３１２）。サーバ１０２のＣＰＵ１０９は、送信された新規登録フォームの内容をこの発信側携帯電話機１００の発信者情報として、ＵＲＬ表示のアドレスを付加し、データベース１０３に新規登録する（ステップＳ３１４）。そしてＣＰＵ１０９は、新規登録した発信者情報のアドレスであるＵＲＬを発信側携帯電話機１００に通知する（ステップＳ３１６）。発信側携帯電話機１００は、受信したＵＲＬを電話機内のメモリに保存する（ステップＳ３１８）。
【００１１】
次に、サーバ１０２のデータベース１０３に、発信側携帯電話機１００の発信者情報を修正する場合について、図３を参照して述べる。ユーザは発信側携帯電話機１００を操作してインターネットブラウザを起動し（ステップＳ５００）、登録用ホームページのアドレスに、ｔｅｌパラメータとして自端末電話番号を付加してインターネットアクセスを行う（ステップＳ５０２）。サーバ１０２内のＣＰＵ１０９は、ステップＳ５０２でのアクセスを受けて登録用のプログラムを起動する（ステップＳ５０４）。次にＣＰＵ１０９は、発信側携帯電話機１００から送信された登録用ホームページのアドレスにｔｅｌパラメータが付加されていることを検出し、データベース１０３からその電話番号に対応した登録済み発信者情報を検索する（ステップＳ５０６）。次にＣＰＵ１０９は、ステップＳ５０６で検索した登録済み発信者情報を初期値として入力した形で、発信側携帯電話機１００に修正登録フォームを送信する（ステップＳ５０８）。発信側携帯電話機１００がこの修正登録フォームを受信し表示部に表示すると、ユーザは修正登録フォームの内容を修正し（ステップＳ５１０）、操作部の送信キーを押下して（ステップＳ５１２）、サーバ１０２に送信する（ステップＳ５１４）。ＣＰＵ１０９は、送信されたフォーム内容をデータベース１０３に修正登録し（ステップＳ５１６）、発信側携帯電話機１００に登録完了を通知する（ステップＳ５１８）。
【００１２】
次に、着信側携帯電話機１０１が発信者情報を取得する動作について、図４を参照して説明する。
ユーザが発信側携帯電話機１００で発呼操作を行うと（ステップＳ１００）、発信側携帯電話機１００は、アドレス１０５を呼情報内に付加したデータ発信も行う（ステップＳ１０１）。
着信側携帯電話機１０１のＣＰＵ１１２は、着呼時に呼情報内にアドレスが含まれているかどうかを判別し（ステップＳ１０２）、含まれない場合は音声送受信部１１１で通常の着呼動作を行う。アドレス１０５が含まれている場合、着信側携帯電話機１０１はパケット送受信部１１８でそのアドレス１０５を受信する。ＣＰＵ１１２はそのアドレス１０５を基にパケット送受信部１１８を介してサーバ１０２へのアクセスを行う（ステップＳ１０３）。
【００１３】
サーバ１０２内のＣＰＵ１０９は、ステップＳ１０３におけるアクセスを受けて、端末能力情報の要求を着信側携帯電話機１０１に送出する（ステップＳ１０４）。ＣＰＵ１１２はその要求を受け取ると、自端末の端末能力情報１０６をパケット送受信部１１８を介してサーバ１０２へ送出する（ステップＳ１０６）。次にＣＰＵ１０９は、アドレス１０５を付加した発信者情報Ａをデータベース１０３から抽出する。発信者情報Ａは図２における登録処理で、ある特定の氏名や電話番号、画像情報を登録している。次に、データ変換部１０４は発信者情報Ａから画像情報を、端末能力情報１０６に合わせたフォーマットへデータ変換する（ステップＳ１０８）。サーバ１０２は変換された画像情報を含む発信者情報Ａを着信側携帯電話機１０１に送信する。着信側携帯電話機１０１は、送信された発信者情報Ａをパケット送受信部１１８からＣＰＵ１１２を介して表示部１１５に表示する（ステップＳ１１０）。このとき、サーバ１０２から送信された発信者情報Ａは、表示部１１５で表示可能なフォーマットに変換されてくるため、着信側携帯電話機１０１では、受信した発信者情報Ａを軽負荷にて表示手段１１５へ表示することが可能となる。
【００１４】
ところで、携帯電話機の電話番号は、同一番号が複数存在しないため、上述のアドレスは、携帯電話機の電話番号と同一のものでよい。この場合、着信側携帯電話機１０１は、発信側携帯電話機１００の発電話番号を既存の発番号通知機能で取得し、その電話番号に基づいてサーバ１０２へアクセスするアドレスを作成する。
アドレスを電話番号と同一にしない場合には、発信者が所有している発信側携帯電話機の電話番号を変更しても、サーバ内のデータベースやアドレスを更新することなく同様のサービスを提供することが可能である。
【００１５】
また、同一の発信側携帯電話機を複数のユーザが使用する場合には、図５に示す通り、サーバ１０２のデータベース１０３内にユーザ毎のアドレス及びそれに対応した発信者情報を用意する。発信側携帯電話機１００は、ユーザメニューなどによりどの発信者情報を指定するかをユーザに選択させてもよいし、相手電話番号の後にユーザ毎に対応する番号を付加して発信を行ってもよい。この場合、各アドレスが各発信者情報に対応する形になるだけなので、発信側携帯電話機１００が対応したアドレスを発信するだけで実現可能となる。
【００１６】
以上説明したように、本実施形態によれば、サーバのデータベースに発信者情報が格納されている場合、発信側携帯電話機が着信側携帯電話機に発呼するときにその発信者情報の格納先を示すサーバのアドレスを送信する。そして、着信側携帯電話機が着呼時にサーバにアクセスし、そのアドレスが示す発信者情報を受信することができる。よって、着信側携帯電話機ではそのアドレスによって発信者を識別でき、着信側携帯電話機の処理能力に適応したデータサイズで、データを軽負荷で受信することができる。
また、発信側携帯電話機を複数のユーザが使用する場合も、ユーザ毎にアドレスを割り当てるので、発信者を特定することができる。
【００１７】
以上、本発明の実施形態について図面を参照して詳述してきたが、具体的な構成はこの実施形態に限られるものではなく、本発明の要旨を逸脱しない範囲の設計変更等も含まれる。
【００１８】
例えば、上記実施形態では、サーバの発信者情報にユーザの氏名や電話番号、画像情報を登録してアドレスを付加したが、ユーザが携帯電話機で作成した電話帳データを、サーバの発信者情報内に登録してもよい。この場合、ユーザがアドレスからサーバにアクセスして、電話帳データを取得することができる。
また、上記実施形態における携帯電話機の代わりに、無線通信機能を備えた携帯型パーソナル・コンピュータ又はＰＤＡ（Ｐｅｒｓｏｎａｌ  Ｄｉｇｉｔａｌ  Ａｓｓｉｓｔａｎｃｅ）に本発明を適用してもよい。
【００１９】
【発明の効果】
以上の説明で明らかなように、本発明によれば、携帯通信端末が、発信側の携帯通信端末から発信されたアドレスを検出し、サーバから該アドレスを付加した識別情報を取得することで、該発信側の携帯通信端末の識別をすることができる。よって、携帯通信端末の電話帳に登録されていない発信者からの着信に際しても、発信側の携帯通信端末がアドレスを発信することで、発信者を特定することができる。
また、携帯通信端末が電話帳データなどの余計な識別情報を持たなくてよく、携帯通信端末の機種変更などでもサーバ内の識別情報をそのまま使用することができ、識別情報を新しい端末に再入力する必要がなくなる。
また、携帯通信端末が画像情報などのデータを発信した際、着信側の携帯通信端末がどのような端末でもその端末に適応した処理能力で情報を表示することが可能であるので、画像データが途中で切れるなどといったことがなくなり、データ処理の高速化に役立つ。
【図面の簡単な説明】
【図１】本発明の一実施形態に係る携帯通信システムの概略構成を示すブロック図である。
【図２】同実施形態における発信者情報を新規登録する動作を示すフローチャートである。
【図３】同実施形態における発信者情報を修正登録する動作を示すフローチャートである。
【図４】同実施形態における発信者情報を取得する動作を示すフローチャートである。
【図５】同実施形態における、同一の携帯電話機で複数のユーザが使用する場合の概略構成を示すブロック図である。
【符号の説明】
１００…発信側携帯電話機、１０１…着信側携帯電話機、１０２…サーバ、１０３…データベース、１０４…データ変換部、１０５…アドレス、１０６…端末能力情報、１０９…サーバのＣＰＵ、１１０…ＲＦ処理部、１１１…音声送受信部、１１２…ＣＰＵ、１１３…音声入力部、１１４…音声再生部、１１５…表示部、１１６…操作部、１１７…記憶部、１１８…パケット送受信部
【図１】
2004297122.tif 000003
【図２】
2004297122.tif 000004
【図３】
2004297122.tif 000005
【図４】
2004297122.tif 000006
【図５】
2004297122.tif 000007